(57)【要約】      （修正有）【課題】額縁を支持するスタンドに飾り台を設け、額縁を通してリアルに、載置物を鑑賞できる飾り台付額縁を提供する。【解決手段】額縁２とその背面で支持するスタンド３とスタンド３の下部の飾り台４で構成する。スタンド３は、逆Ｕ字状に形成して、額縁２の背面に固定する支持材（Ｉ）５と、該支持材（Ｉ）５を支持する支持材（ＩＩ）６とから構成する。飾り台４を、スタンド３の下部で、支持材（Ｉ）５と、支持材（ＩＩ）６の間に設ける。飾り台４は平面状の板で加工し、支持材（Ｉ）５と、支持材（ＩＩ）６に設けられた孔１２と、飾り台４の両側面に設けた穴にピン１１を通すことにより、支持材（Ｉ）５と、該支持材（ＩＩ）６の間に、水平に支持される。飾り台４の床面からの高さは、支持材（Ｉ）５と、支持材（ＩＩ）６に設けられた予備の孔１３を使用して、調整することができる。【選択図】図１
0003162382.tif 000002
【実用新案登録請求の範囲】
【請求項１】
額縁と内部に飾り台を設け、前記額縁の背面を傾斜して支持するスタンドから構成されることを特徴とする飾り台付額縁。
【考案の詳細な説明】
【技術分野】
【０００１】この考案は、額縁を支持するスタンドに飾り台を設け、額縁を通してリアルに、載置物を鑑賞することができる飾り台付額縁を提供する。
【背景技術】
【０００２】従来、額縁は額縁の枠内に絵画、書画等の表示物を装着して、壁等にかけて表示物を鑑賞するものである。この表示物の装飾効果を高めるために、額縁の表面の装飾を豪華にすることが行われている。これ以外に額縁の前方に花あるいは、内部に模型等を置いて見栄えを良くした先行技術が、下記の文献１から文献４に開示されている。文献１の先行技術は、葬儀等で使用される額縁の前に、生花等を置くための供花台を設けた壁掛けタイプの供花台の発明である。文献２の先行技術は、額縁の表示面に植物を育成するプランタを設けた構造の壁掛けプランタの考案である。文献３の先行技術は、額縁の裏面に設けた箱に鉄道模型を収納して、壁にかけて鑑賞する額縁付鉄道情景模型の発明である。文献４の先行技術は額縁の前面に飾り台を設け、額縁枠内の表示物の装飾効果を高めるために、飾り台の角度を調整できるようにした発明である。
【先行技術文献】
【０００３】［文献１］特開２００５−２１８４７０
［文献２］実開平０５−０２１６４３
［文献３］特開２０１０−０２９６１６
［文献４］特開２００６−０２６０９０
【考案の概要】
【考案が解決しようとする課題】
【０００４】上記文献１に開示されている先行技術は、本来の額縁の使用法にプラスして、供花台を額縁の前面に設けた壁掛け構造で簡単に移動ができない問題がある。文献２に開示された先行技術は、額縁が表示面に設けられたプランタを係止するために使用されており、プランタに収納される植物は生育が終わるまで交換できない。文献３に開示されている先行技術は、通常の額縁と同様に室内で、壁にかけて使用する仕様である。収納している鉄道模型を交換するには、裏面の箱を開いて入れ替える必要がある。文献４に開示されている先行技術は、額縁を掲示する場所により、表示物の見栄えをよくするために額縁の前面に設けた飾り棚の角度を変えるものであるが屋外での使用には適さない。いずれも、額縁を通してリアルに、表示物、載置物を鑑賞できる目的は達してない。
【課題を解決するための手段】
【０００５】  本考案は、上記課題を達成するために額縁と内部に飾り台を設け、前記額縁の背面を傾斜して支持するスタンドを接合する。
【考案の効果】
【０００６】  この考案の主な効果として下記の５項目が挙げられる。
１．飾り台に美しい生き生きとした生花、盆栽、人形、模型等好みの物を置くことによ      り、従来の額縁に入れて鑑賞した、平面的なものからより立体的な、リアルな印象      を見る人に与えることができる。
２．飾り台に置くものは、容易に交換可能である。
３．花屋の店頭等のディスプレイとして屋外での使用も可能である。
４．額縁を載置物に対して、斜めに設けることにより遠近感が強調され、より立体的に      見せる効果がある。
５．額縁に絵画、書画等を飾ることもでき、従来の額縁としての機能も備えている。
【図面の簡単な説明】
【０００７】
【図１】本考案の側面図
【図２】本考案の正面図
【図３】本考案の背面図
【図４】スタンドの正面図
【図５】本考案使用実施図
【考案を実施するための形態】
【０００８】考案を実施するための形態を図１〜図５により説明する。
【実施例】
【０００９】  本考案は、図１〜図３に示すように、額縁２と該額縁２を背面で支持するスタンド３とから構成される。スタンド３の下部には飾り台４が設けられている。【００１０】  額縁２は、一般的に使用される絵画等を装着して壁等に係止するものであり、材質は木、プラスチック、あるいは金属等で加工されるものである。【００１１】  スタンド３は、図１、図３、図４に示すように、木製の角材で、逆Ｕ字状に形成して、額縁２の背面８に固定する支持材（Ｉ）５と、該支持材（Ｉ）５を支持する支持材（ＩＩ）６とから構成する。支持材（Ｉ）５の正面視の内幅は、額縁開口部７の内幅より大きくする。スタンド３の材質は、額縁の材質、設置する場所によりプラスチック、あるいは金属等で加工し、表面処理をしてもよい。【００１２】  飾り台４を、スタンド３の下部で、支持材（Ｉ）５と、支持材（ＩＩ）６の間に設ける。飾り台４は平面状の板で加工し、支持材（Ｉ）５と、支持材（ＩＩ）６に設けられた孔１２と、飾り台４の両側面に設けた穴にピン１１を通すことにより、支持材（Ｉ）５と、該支持材（ＩＩ）６の間に、水平に支持される。飾り台４の床面からの高さは、支持材（Ｉ）５と、支持材（ＩＩ）６に設けられた予備の孔１３を使用して、調整することができる。【００１３】  額縁２とスタンド３の接合は、額縁２の背面８を、スタンド３の支持材（Ｉ）５の前面に合わせ、図１、図３のように左右、上下２箇所に金属製のＬ型接続具９を使用して、ねじ１０で支持材（Ｉ）５の側面と、額２の背面８を固定する。この実施例ではＬ型接続具９を使用しているが、このＬ型接続具９を使用しないで、額縁２の背面８とスタンド３を直接ねじ等で接合することもできる。【００１４】  額縁２の開口部７には、通常の額縁と同様に絵画、書画等を掲載することができる。【００１５】  上記のように構成された本考案の使用方法を図５によって説明する。額縁２の開口部７にはガラス等何も入れないで、飾台４の上に、季節の生き生きとした花の生けられた花瓶１４等を置いて、額縁２を通して、芳しいリアルな花を観賞することができる。
【産業上の利用可能性】
【００１６】一般家庭及び、花屋等の店頭で利用可能である。
【符号の説明】
【００１７】１    本考案の飾台付額縁
２    額縁
３    スタンド
４    飾り台
５    支持材（Ｉ）
６    支持材（ＩＩ）
７    額縁開口部
８    額縁背面
９    Ｌ型接続具
１０  ねじ
１１  ピン
１２  支持材（Ｉ）、支持材（ＩＩ）の孔
１３  支持材（Ｉ）、支持材（ＩＩ）の予備の孔
１４  花瓶
【図１】
0003162382.tif 000003
【図２】
0003162382.tif 000004
【図３】
0003162382.tif 000005
【図４】
0003162382.tif 000006
【図５】
0003162382.tif 000007